(57)【特許請求の範囲】
【請求項１】
端部が開放された筒状の本体部と、
前記本体部の内周面に設けられたファスナ部と、
前記本体部の内周面において前記ファスナ部と対面するように設けられたチャック部と、を備え、
前記ファスナ部は、前記チャック部に向かって延びるネック部の端部に設けられると共に前記チャック部に引っ掛けられるフック部を有し、
前記チャック部は、前記フック部を着脱可能に保持するフック収容部を有し、
前記フック部と前記フック収容部との間には、前記フック収容部への前記フック部の引っ掛かりを解除する解除具を挿通させる解除孔が設けられている、建築ガスケット。
【請求項２】
建築ガスケットであり、前記建築ガスケットは、端部が開放された筒状の本体部と、前記本体部の内周面に設けられたファスナ部と、前記本体部の内周面において前記ファスナ部と対面するように設けられたチャック部と、を有し、前記ファスナ部は、前記チャック部に向かって延びるネック部の端部に設けられると共に前記チャック部に引っ掛けられるフック部を含み、前記チャック部は、前記フック部を着脱可能に保持するフック収容部を含む、前記建築ガスケットと、
前記フック収容部への前記フック部の引っ掛かりを解除するための解除具と、を備え、
前記フック部と前記フック収容部との間には、前記解除具を挿通させる解除孔が設けられ、
前記解除具は、前記解除孔より小さいワイヤ部と、前記ワイヤ部の端部に設けられると共に前記解除孔より大きいアンロック部と、を有する、建築ガスケットユニット。
【請求項３】
第１建築部材と第２建築部材との間に形成された目地に建築ガスケットを設ける方法であって、
前記建築ガスケットの端部が開放された筒状の本体部に設けられたファスナ部が前記ファスナ部と対面する位置に設けられたチャック部に引っ掛かると共に、前記ファスナ部と前記チャック部との間に形成された解除孔に前記チャック部への前記ファスナ部の引っ掛かりを解除するための解除具が配置された前記建築ガスケットが、前記第１建築部材および前記第２建築部材の間に配置された状態を形成する工程と、
前記解除具を操作することにより、前記建築ガスケットを、前記チャック部への前記ファスナ部の引っ掛かりが解除された形態へ切り替える工程と、を有する、建築ガスケットを設ける方法。
【発明の詳細な説明】
【技術分野】
【０００１】
本発明は、建築ガスケット、建築ガスケットユニットおよび建築ガスケットを設ける方法に関する。
【背景技術】
【０００２】
集合住宅のような建築物の施工に要する時間および労力を低減する技術が検討されている。例えば、建築物を複数のモジュールの集合体として設計する。当該モジュールは、工場で製造される。そして、モジュールは、建築物の施工現場に搬入され、互いに連結される。このような工法は、ＰＰＶＣ工法（Pre-fabricated Pre-finished Volumetric Modular Construction：PPVC）と呼ばれる。ＰＰＶＣ工法は、海外において導入が始まっている。
【０００３】
建築部材であるモジュールと当該モジュールに隣接する別のモジュールとの間には、目地が形成される。この目地には、止水性の確保といった観点から、建築ガスケットが配置される。目地に配置される建築ガスケットとして、例えば、特許文献１に記載の外壁パネル用ガスケットが知られている。
【先行技術文献】
【特許文献】
【０００４】
【特許文献１】特開２００１―２６２７２１号公報
【発明の概要】
【発明が解決しようとする課題】
【０００５】
建築ガスケットは、建築物を構成する建築部材間における止水性および気密性などを確保する。止水性を確保するために、建築ガスケットは、建築部材に対して密着する必要がある。そこで、一方のモジュールと他方のモジュールとの間に建築ガスケットを配置した後に、一方のモジュールを他方のモジュールに近づけることによって、建築ガスケットを建築部材に対して密着させる。
【０００６】
より詳細には、建築ガスケットは、先に設置する建築部材に取り付けられる。この壁面は、後から設置する建築部材に対面する。また、建築ガスケットは、鉛直方向に沿うように建築部材の壁面に設ける。建築ガスケットは、先に設置された建築部材の隣に別の建築部材を設置する際に、邪魔になる。建築ガスケットの径方向における自然長は、建築部材の間に存在する隙間よりも大きい。
【０００７】
次に、後から設置する建築部材を、先に設置した建築部材の壁面から建築ガスケットの高さよりも離れた位置に降ろす。次に、後から設置した建築部材を先に設置した建築部材に向けて水平方向に移動させる。
【０００８】
しかし、建築部材が重量物である場合に、建築部材を別の建築部材にごくわずかな距離（３０ｍｍ程度）だけ近づけて微調整する作業は、多大な時間と労力とを要し、容易ではない。
【０００９】
例えば、特許文献１に記載された、予め潰した建築ガスケットを採用する方法も考えられる。特許文献１の図６〜８に図示された建築ガスケットは、潰した状態を機械的な篏合構造によって維持し、建築ガスケットの内部にコンプレッサから空気を導入することによって、形状を復元している。
【００１０】
ここで、空気の導入によって形状を復元させるためには、篏合を解除可能な程度に建築ガスケットの内圧を高める必要があり、建築ガスケットの端部を閉じ、気密構造をなす必要がある。そして、空気を導入するために、コンプレッサ等の付加的な装置を準備する手間も生じる。そこで、当該技術分野においては、元の形状に容易に復元可能な建築ガスケットおよび建築ガスケットユニットが望まれている。さらには、施工性を向上可能な建築ガスケットを設ける方法が望まれている。
【００１１】
本発明は、容易に変形させると共に元の形状に容易に復元可能な建築ガスケットおよび建築ガスケットユニット、さらに施工性を向上可能な建築ガスケットを設ける方法を提供する。
【課題を解決するための手段】
【００１２】
本発明の一形態である建築ガスケットは、端部が開放された筒状の本体部と、本体部の内周面に設けられたファスナ部と、本体部の内周面においてファスナ部と対面するように設けられたチャック部と、を備える。ファスナ部は、チャック部に向かって延びるネック部の端部に設けられると共にチャック部に引っ掛けられるフック部を有する。チャック部は、フック部を着脱可能に保持するフック収容部を有する。フック部とフック収容部との間には、フック収容部へのフック部の引っ掛かりを解除する解除具を挿通させる解除孔が設けられている。
【００１３】
本発明の別の形態である建築ガスケットユニットは、建築ガスケットであり、建築ガスケットは、端部が開放された筒状の本体部と、本体部の内周面に設けられたファスナ部と、本体部の内周面においてファスナ部と対面するように設けられたチャック部と、を有し、ファスナ部は、チャック部に向かって延びるネック部の端部に設けられると共にチャック部に引っ掛けられるフック部を含み、チャック部は、フック部を着脱可能に保持するフック収容部を含む、当該建築ガスケットと、フック収容部へのフック部の引っ掛かりを解除するための解除具と、を備える。フック部とフック収容部との間には、解除具を挿通させる解除孔が設けられる。解除孔は、その一部が開放された形状をなしてもよい。解除孔は、フック部の先端に設けられるが、フック収容部の端面に設けてもよい。解除具は、解除孔より小さいワイヤ部と、ワイヤ部の端部に設けられると共に解除孔より大きいアンロック部と、を有する。
【００１４】
本発明の更に別の形態は、第１建築部材と第２建築部材との間に形成された目地に建築ガスケットを設ける方法であって、建築ガスケットの端部が開放された筒状の本体部に設けられたファスナ部がファスナ部と対面する位置に設けられたチャック部に引っ掛かると共に、ファスナ部とチャック部との間に形成された解除孔にチャック部へのファスナ部の引っ掛かりを解除するための解除具が配置された建築ガスケットが、第１建築部材および第２建築部材の間に配置された状態を形成する工程と、解除具を操作することにより、建築ガスケットを、チャック部へのファスナ部の引っ掛かりが解除された形態へ切り替える工程と、を有する。
【００１５】
上記の建築ガスケットおよび建築ガスケットユニットでは、ファスナ部のフック部をチャック部のフック収容部に引っ掛けることが可能である。その結果、筒状である本体部がその径方向に圧縮された形態を維持することができる。さらに、建築ガスケットは、ファスナ部のチャック部への引っ掛かりを解除するための解除具を配置可能な解除孔を有する。その結果、解除孔に解除具を配置することが可能となるので、ファスナ部のチャック部への引っ掛かりを解除できる。従って、建築ガスケットおよび建築ガスケットユニットは、容易に変形させると共に元の形状に容易に復元することができる。
【００１６】
さらに、建築ガスケットを設ける方法では、圧縮された状態の建築ガスケットを第１建築部材と第２建築部材との目地に設置した後に、チャック部へのファスナ部の引っ掛かりを解除する。その結果、建築ガスケットは、圧縮されていた形状が復元するので、第１建築部材および第２建築部材のそれぞれに密着する。つまり、建築ガスケットを第１建築部材および第２建築部材のそれぞれに密着させるために、第１建築部材および第２建築部材を互いに近づけるように移動させる必要がない。従って、施工性を向上させることができる。
【発明の効果】
【００１７】
本発明の建築ガスケットおよび建築ガスケットユニットによれば、容易に変形させると共に元の形状に容易に復元することができ、建築ガスケットを設ける方法によれば、施工性を向上することができる。
【図面の簡単な説明】
【００１８】
【図１】図１は、建築ガスケットが用いられる建築物を施工している様子を示す斜視図である。
【図２】図２は、建築ガスケットの端面を示す図である。
【図３】図３は、半分に切断した建築ガスケットの圧縮状態を解除している様子を示す斜視図である。
【図４】図４の（ａ）部および図４の（ｂ）部は、建築ガスケットを設ける方法の主要な工程を示す図である。
【図５】図５の（ａ）部および図５の（ｂ）部は、建築ガスケットを設ける方法において、図４に続く主要な工程を示す図である。
【発明を実施するための形態】
【００１９】
以下、添付図面を参照しながら本発明を実施するための形態を詳細に説明する。図面の説明において同一の要素には同一の符号を付し、重複する説明を省略する。
【００２０】
図１は、建築ガスケットが用いられる建築物１００を施工している様子を示す。以下の説明では、建築ガスケットは、単に「ガスケット１Ａ」と呼ぶ。この建築物１００は、複数のモジュール１０１により構成される。モジュール１０１は、工場において製造されたのちに、現場に搬入される。そして、モジュール１０１は、クレーン１１０などを用いて積み重ねられる。ガスケット１Ａは、モジュール１０１の間の目地１０５に配置される。ガスケット１Ａは、長手方向が鉛直方向に沿うように配置される。クレーン１１０は、図１において図示された形態に限定されない。つまり、モジュール１０１を配置するための装置および設備は、モジュールの１０１の構成および施工現場の状況に応じて、適宜選択してよい。
【００２１】
図２は、ガスケット１Ａの端面を拡大して示す。ガスケット１Ａは、形状を復元する性質を有する弾性体により構成されている。このような弾性体として、例えば、ゴム及び樹脂材料等が挙げられる。ガスケット１Ａは、一方の端部および他方の端部が開放された筒である。つまり、ガスケット１Ａの端部は、閉鎖されていない。ここで言う閉鎖とは、ガスケット１Ａの内部が気密に保たれた状態を意味する。
【００２２】
ガスケット１Ａは、本体部１０と、ファスナ部２０と、チャック部３０と、を有する。
【００２３】
本体部１０の形状は、略円筒形である。従って、本体部１０は、所定の厚みを有するほぼ円形の閉鎖された断面形状を有する。本体部１０は、外周面１１と、内周面１２と、を有する。ガスケット１Ａに圧縮力Ｆが作用したとき、本体部１０は、圧縮力Ｆに抵抗する復元力を発揮する。ここで言う圧縮力Ｆとは、本体部１０の径方向に沿う力である。圧縮力Ｆは、ファスナ部２０からチャック部３０までの距離を縮めるように作用する。本体部１０の外周面１１には、軸方向に伸びる一対の溝１１ａが設けられている。この溝１１ａは、ガスケット１Ａに圧縮力Ｆが作用したときに、本体部１０が強く屈曲する位置に設けられている。
【００２４】
本体部１０の外周面１１には、一対の当接面１３、１４が設けられている。当接面１３、１４は、それぞれ、曲面である外周面１１よりも径方向に突出している。当接面１３は、モジュール１０１の壁面１０１ａに押し当てられる。当接面１４は、モジュール１０２の壁面１０２ａに押し当てられる。当接面１３、１４は、それぞれ平面である。当接面１３、１４は、互いに向き合うように設けられている。また、当接面１３、１４は、互いに平行である。このような当接面１３、１４によれば、当接面１３を壁面１０１ａに密着させることができる。同様に、当接面１４を壁面１０２ａに密着させることができる。
【００２５】
一方の当接面１３から軸線Ａを通って他方の当接面１４に至る基準線ＬＳを規定する。この仮想線に直交する方向の長さを当接面１３、１４の幅であると規定とする。一方の当接面１３の幅Ｗ１３は、他方の当接面１４の幅Ｗ１４と異なってもよいし、同じであってもよい。例えば、一方の当接面１３の幅Ｗ１３は、他方の当接面１４の幅Ｗ１４より長くてもよい。本実施形態では、一方の当接面１３から他方の当接面１４までの距離は、ガスケット１Ａの高さＨ１である。
【００２６】
一方の当接面１３は、外周面１１から突出したチャックネック３１の先端に設けられている。他方の当接面１４は、外周面１１より突出する。
【００２７】
本体部１０の内周面１２には、ファスナ部２０とチャック部３０とが設けられている。ファスナ部２０は、チャック部３０に向き合っている。これらの配置によれば、圧縮力Ｆが作用したときに、ファスナ部２０をチャック部３０に近づけることができる。ファスナ部２０は、チャック部３０に対して引っ掛かる。つまり、ファスナ部２０及びとチャック部３０は、協働して本体部１０が圧縮方向に潰された形状を維持する。従って、ファスナ部２０とチャック部３０との結合力は、本体部１０の復元力よりも大きい。
【００２８】
ファスナ部２０の平面形状は、略Ｙ字状である。ファスナ部２０は、ネック部２１とフック部２２とを有する。本体部１０の内周面１２は、他方の当接面１４に対して平行である平面部１２ａを含む。ネック部２１は、平面部１２ａから本体部１０の軸線Ａに向かって突出する。換言すると、ネック部２１は、平面部１２ａからチャック部３０に向かって突出する。ネック部２１の長さは、例えば、本体部１０の厚みと概ね同等であってもよい。ネック部２１の先端には、フック部２２が設けられている。
【００２９】
フック部２２は、チャック部３０に引っ掛けられる。フック部２２の形状は、平面視して略台形状である。フック部２２の幅は、チャック部３０に近づく方向に狭くなっている。換言すると、フック部２２の幅は、チャック部３０から遠ざかる方向に広がっている。フック部２２の底辺部の幅Ｗ２２は、ネック部２１の幅Ｗ２１よりも大きい。つまり、フック部２２の底辺部は、ネック部２１の側面から幅方向に突出している。この突出した部分は、フック爪２３である。フック爪２３は、フック受け３３に引っ掛かる。フック部２２の先端には、解除孔２４が設けられている。解除孔２４は、開口部を含む。つまり、解除孔２４は、チャック部３０に対して対面する位置に設けられている。そして、解除孔２４の内周面２４ａは、フック収容部３２の端面３２ａに対して直接に対面する。
【００３０】
チャック部３０は、一対のチャックネック３１と、フック収容部３２と、フック受け３３と、を有する。チャックネック３１は、端面３２ａから突出する。チャックネック３１は、基準線ＬＳを挟んで線対象に配置されている。つまり、チャックネック３１の間には、フック収容部３２が形成される。さらに、チャックネック３１の先端には、当接面１３が設けられている。さらに、フック収容部３２は、フック受け３３にも囲まれている。フック受け３３は、一対のチャックネック３１から基準線ＬＳに向けて延びる。しかし、フック受け３３同士は、接触しない。つまり、フック受け３３の先端の間には、隙間Ｗ３３が設けられる。この隙間Ｗ３３は、フック収容部３２の幅Ｗ３２よりも小さい。フック受け３３の隙間Ｗ３３は、ネック部２１の幅Ｗ２１よりもわずかに大きい。フック収容部３２は、フック部２２を収容する。
【００３１】
このような構成を有するガスケット１Ａは、互いに異なる第１形態（ガスケット１Ａ参照）と第２形態（ガスケット１Ｂ参照）とを取り得る。第１形態は、ファスナ部２０がチャック部３０に引っ掛けられていない形態である。一方、第２形態ではガスケット１Ａは、ファスナ部２０がチャック部３０に引っ掛かる程度に変形する。より具体的には、ファスナ部２０がチャック部３０に引っ掛けられている。ここで、本実施形態でいう「変形」とは、第２形態の状態を構成する程度の大きな変形を意味する。例えば、ガスケット１Ａが目地１０５に配置されて、その機能を発揮しているとき、ガスケット１Ａは、わずかにつぶれている。しかし、ファスナ部２０はチャック部３０に引っ掛かっていないので、本実施形態でいう「変形」には該当しない。
【００３２】
第２形態であるガスケット１Ｂは、フック部２２がフック収容部３２に配置されている。フック部２２の幅Ｗ２２は、フック受け３３の隙間Ｗ３３よりも大きい。従って、フック爪２３がフック受け３３に引っ掛かっている。フック爪２３およびフック受け３３は、本体部１０が発生する復元力によっても引っ掛かりが解除されるような変形を生じない。要するに、ガスケット１Ｂおよびガスケットユニット５０は、その変形状態を機械的な篏合構造によって維持する。その結果、ガスケット１Ｂの変形状態を容易に維持することができる。従って、作業の安定性が向上する。また、作業の経済性を高めることができる。そして、フック部２２の先端とフック収容部３２の端面３２ａとの間には、解除孔２４が配置される。この解除孔２４には、次に説明する解除具４０が配置される。
【００３３】
図３は、ガスケット１Ａの圧縮状態を解除している様子を、ガスケット１Ａを半分に切断して示す斜視図である。図３に示すように、解除具４０は、ファスナ部２０とチャック部３０との引っ掛かりを解除する。解除具４０およびガスケット１Ｂは、ガスケットユニット５０（建築ガスケットユニット）を構成する。解除具４０は、フック収容部３２に端面３２ａと解除孔２４の内周面２４ａとを互いに離間させる力を発生させ、フック爪２３の引っ掛かりを解除し得る程度の変形をフック受け３３に生じさせる。これにより、コンプレッサから空気をガスケット１Ｂの内部に送り込むといった作業を要さずに、ガスケット１Ｂの変形状態が解除される。つまり、ガスケット１Ａ、１Ｂおよびガスケットユニット５０は、容易に変形すると共に元の形状に容易に復元することができる。
【００３４】
解除具４０は、アンロック部４１と、ワイヤ部４２と、を有する。アンロック部４１の形状は、例えば、円錐である。なお、図３に示すアンロック部４１は、理解を容易にするために寸法を誇張して示している。アンロック部４１の基端４１ａの直径は、解除孔２４の直径と同じであるかわずかに小さい。一方、アンロック部４１の末端４１ｂの直径は、解除孔２４の直径よりも大きい。つまり、アンロック部４１の末端４１ｂの直径は、フック爪２３をフック受け３３の外側に押し出すことが可能な程度であればよい。また、解除具４０は、解除動作においてワイヤ部４２が破断せず、ワイヤ部２とアンロック部４１との接続箇所が切断しない程度の強度を有する。アンロック部４１の基端４１ａには、ワイヤ部４２が連結されている。ワイヤ部４２を引っ張ることによって、アンロック部４１が軸線Ａと平行な方向に移動する。
【００３５】
以下、ガスケット１Ａを目地１０５に設ける方法を説明する。この方法は、主要な工程として、４つの工程Ｓ１、Ｓ２、Ｓ３、Ｓ４を有する。まず、ガスケット１Ａを準備する（工程Ｓ１）。次に、モジュール１０１、１０２の間にガスケットユニット５０が配置された状態を形成する（工程Ｓ２）。次に、解除具４０を操作することにより、第２形態のガスケット１Ｂを、第１形態のガスケット１Ａへ切り替える（工程Ｓ３）。そして、グラウト３００を充填する（工程Ｓ４）。以下、各工程Ｓ１、Ｓ２、Ｓ３、Ｓ４のそれぞれについて詳細に説明する。ガスケット１Ａを目地１０５に設ける方法は、工程Ｓ１、Ｓ２、Ｓ３によって構成されるとしてもよい。
【００３６】
図４の（ａ）部に示すように、ガスケットユニット５０を準備する（工程Ｓ１）。まず、ガスケット１Ａを準備する。次に、ガスケット１Ａに解除具４０を配置する。具体的には、ガスケット１Ａの解除孔２４に解除具４０のワイヤ部４２を配置する。次に、当接面１４を当接面１３に向けて押し付ける。そうすると、ファスナ部２０がチャック部３０に近づき、フック部２２がフック受け３３を押しのけて、最終的にフック部２２がフック収容部３２に収まる。つまり、第１形態であるガスケット１Ａが第２形態であるガスケット１Ｂに切り替わる。以上の工程によって、ガスケットユニット５０が準備される。なお、ワイヤ部４２が解除中に破断した場合には、ガスケット１Ｂ内部の隙間のいずれかに細い棒状の部材を差し込むことにより、強制的にガスケット１Ｂからガスケット１Ａへ復元してもよい。また、解除具４０を配置するタイミングは、上記の順に限定されない。
【００３７】
モジュール１０１、１０２の間にガスケットユニット５０が配置された状態を形成する（工程Ｓ２）。工程Ｓ２では、工程Ｓ２が終了した時点で図４の（ｂ）部に示すような状態が形成されていればよい。具体的には、ガスケットユニット５０を一方のモジュール１０１（第１建築部材）の壁面１０１ａに接着する。ガスケットユニット５０の接着は、モジュール１０１を組み立てた工場において実施してもよいし、ガスケットユニット５０の接着は、施工現場において所定の位置に設置される前のモジュール１０１に対して実施してもよい。また、ガスケットユニット５０の接着は、施工現場において所定の位置に設置されたモジュール１０１に対して実施してもよい。このとき、他方のモジュール１０２（第２建築部材）は配置されていない。次に、他方のモジュール１０２を配置する。ここで、他方のモジュール１０２を配置するとき、モジュール１０１、１０２の隙間Ｇ１は、予め定められる設計寸法としてよい。この時点では、ガスケット１Ｂは変形しているのでガスケット１Ｂは、高さＨ２である。つまり、ガスケット１Ｂの高さＨ２は、隙間Ｇ１よりも小さい。従って、他方のモジュール１０２は、ガスケット１Ｂの影響を受けず、所定の位置に直接に配置が可能である。また、隙間Ｇ１は、第１形態のガスケット１Ａの高さＨ１よりもわずかに小さい。
【００３８】
なお、図４の（ｂ）部に示す状態を形成する手順は、上記の手順に限定されない。例えば、潰されていないガスケット１Ａをモジュール１０１の壁面に配置してから、解除具４０を配置してからガスケット１Ａを潰すことにより、ガスケットユニット５０を形成してもよい。
【００３９】
解除具４０を操作することにより、第２形態のガスケット１Ｂを、第１形態のガスケット１Ａへ切り替える（工程Ｓ３、図５の（ａ）部参照）。図３に示すように、解除具４０のワイヤ部４２を引っ張る。そうすると、アンロック部４１は、基端４１ａから解除孔２４に差し込まれる。アンロック部４１が移動すると、アンロック部４１の末端４１ｂが解除孔２４の内周面２４ａとフック収容部３２の端面３２ａの間に圧入される。その結果、内周面２４ａおよび端面３２ａが互いに離間し、フック爪２３がフック受け３３を変形させるので、フック爪２３とフック受け３３との引っ掛かりが解除される。
【００４０】
なお、引っ掛かりの解除は、上記の解除具４０の操作のみに限定されない。引っ掛かりを解除可能ないくつかの手法を適用してよい。例えば、解除孔２４や、本体部１０の内側に棒状部材を差し込む手法を適用してもよい。
【００４１】
ファスナ部２０とチャック部３０との引っ掛かりがすべて解除されると、他方の当接面１４は、他方のモジュール１０２の壁面１０２ａに密着する。つまり、ガスケット１Ａは、その機能を発揮する状態となる。従って、先に設置されたモジュール１０１に対して、後から設置されるモジュール１０２を水平方向に移動させる作業が不要になる。その結果、建築物１００を施工に要する時間を短縮でき、施工性を向上させることができる。
【００４２】
モジュール１０１の壁面１０１ａとモジュール１０２の壁面１０２ａと一対のガスケット１Ａとに囲まれた領域に、モジュール１０１間の接着と遮音性向上のためのグラウト３００を充填する（工程Ｓ４、図５の（ｂ）部参照）。この充填によって、モジュール１０１、１０２を一体化する。
【００４３】
以上の工程により、ガスケット１Ａが目地１０５に配置される。
【００４４】
以上、ガスケット１Ａ、ガスケットユニット５０およびガスケット１Ａを設ける方法について説明した。しかし、ガスケット１Ａ、ガスケットユニット５０およびガスケット１Ａを設ける方法は、上記実施形態に限定されることなく様々な形態で実施してよい。
【符号の説明】
【００４５】
１Ａ，１Ｂ…ガスケット（建築ガスケット）、１０…本体部、１１…外周面、１２…内周面、１３，１４…当接面、２０…ファスナ部、２１…ネック部、２２…フック部、２３…フック爪、２４…解除孔、３０…チャック部、３１…チャックネック、３２…フック収容部、４０…解除具、４１…アンロック部、４２…ワイヤ部、５０…ガスケットユニット、１００…建築物、１０１，１０２…モジュール（建築部材）、１０５…目地、１１０…クレーン、３００…グラウト。
【要約】
【課題】建築ガスケットの形状を容易に変形させると共に元の形状に容易に復元する。
【解決手段】ガスケット１Ａは、両端が開放された筒状の本体部１０と、本体部１０の内周面１２に設けられたファスナ部２０と、本体部１０の内周面１２においてファスナ部２０と対面するように設けられたチャック部３０と、を備える。ファスナ部２０は、チャック部３０に向かって延びるネック部２１の端部に設けられると共にチャック部３０に引っ掛けられるフック部２２を有する。チャック部３０は、フック部２２を着脱可能に保持するフック収容部３２を有する。フック部２２とフック収容部３２との間には、フック収容部３２へのフック部２２の引っ掛かりを解除する解除具４０を挿通させる解除孔２４が設けられている。
【選択図】図２【図１】
0006596609.tif 000002
【図２】
0006596609.tif 000003
【図３】
0006596609.tif 000004
【図４】
0006596609.tif 000005
【図５】
0006596609.tif 000006